(57)【要約】【課題】摩擦分離パッドを用いた用紙分離搬送装置において、摺動シート（マイラ）等の対策部品を追加せずに用紙先端の分離部材への引っ掛かりによる捲れの不具合を回避する摩擦分離パッドを備えた用紙分離搬送装置を簡単な構造で提供することにある。【解決手段】用紙を１枚ずつ分離搬送する用紙分離搬送装置において、板状摩擦分離部材３がその幅方向中心部においてフィードローラ１から離間し、幅方向両端部において前記フィードローラ１に当接する。【選択図】        図１
2005001840.tif 000002
【特許請求の範囲】
【請求項１】
フィードローラと板状摩擦分離パッドとの協働によって用紙を１枚ずつ分離搬送する用紙分離搬送装置において、板状摩擦分離パッドがその幅方向中心部においてフィードローラから離間し、幅方向両端部において前記フィードローラに当接することを特徴とする用紙分離搬送装置。
【請求項２】
前記離間が、前記板状摩擦分離パッド幅を「Ａ」とし、この板状摩擦分離パッドを保持する前記保持部材の前記板状摩擦分離パッド幅方向を規制する形状幅を「Ｂ」とした場合に、その幅関係を「Ａ＞Ｂ」として行われることを特徴とする請求項１記載の用紙分離搬送装置。
【請求項３】
前記保持部材の凹部両端に分離に必要な前記板状摩擦分離パッドとフィードローラの当接ニップ部を形成させるために、前記保持部材に前記板状摩擦分離パッド部材をフィードローラに押し付けるパッド押え部を有することを特徴とする請求項１または２のいずれか１項記載の用紙分離搬送装置。
【請求項４】
前記板状摩擦分離パッドの幅方向を規制する前記保持部材の形状部の高さを前記板状摩擦分離パッドの厚みより低くしておくことを特徴とする請求項１ないし３のいずれか１項記載の用紙分離搬送装置。
【請求項５】
前記板状摩擦分離パッドの幅方向を規制する前記保持部材の形状部から前記板状摩擦分離パッドが外れることを防止するために、前記保持部材と前記板状摩擦分離パッドが当接する箇所に粘着部材を用いたことを特徴とする請求項１ないし３のいずれか１項記載の用紙分離搬送装置。
【請求項６】
請求項１〜５記載の用紙分離搬送装置の機能を使用して記録紙の分離搬送を行うことを特徴とする画像形成装置。
【請求項７】
請求項１〜５の用紙分離搬送装置の機能を使用して原稿の分離搬送を行うことを特徴とする画像読み取り装置。
【発明の詳細な説明】
【０００１】
【発明の属する技術分野】
本発明は、スキャナ、ファクシミリ、複合機等の画像形成装置において使用する用紙分離搬送装置に関するものである。
【０００２】
【従来の技術】
従来、摩擦分離パッドを用いた用紙分離搬送装置においては、その構造上、原稿搬送ガイド板の搬送面よりも搬送経路側へ、分離パッドと当接するフィードローラが若干量突出する形態となっている。
【０００３】
【発明が解決しようとする課題】
そのため、ガイド板に沿って置かれる搬送用紙先端部はフィードローラの幅方向を中心とした凸形状にて分離パッドに突き当たることになり、そのままでは凸形状に変形した搬送用紙の凸部頂点がパッドに引っかかった状態となり、原稿先端捲れという不具合が発生する。
この問題を回避するために従来の摩擦分離パッドを用いた用紙分離搬送装置は、この搬送用紙の凸部頂点が突き当たる分離パッド部に分離パッド幅より小さい幅の摺動シート（マイラ）を用意し、搬送用紙の凸部頂点がパッドに引っ掛かることなく搬送できるようにしてある。
図４は一般的な摩擦分離パッド部材を用いた用紙分離搬送装置を使用する原稿読み取り装置を１例として説明する概略図である。フィードローラ１は原稿束２の最下紙を繰り出し、搬送する。フィードローラ１によって搬送される最下紙以外の原稿を摩擦部材で形成される分離パッド３で押さえる。
分離パッド３をホルダ４で保持する。分離パッド３はスナップピン１１によってホルダ４に取り付けられている。スプリング５は分離パッド３をフィードローラ１に押圧する。
用紙分離部から繰り出された原稿はそのままガイド板６によって案内され、原稿を搬送する上下一対の読み取り搬送ローラ部７を介して、イメージセンサスキャナ８と用紙位置検出センサ９部に送られ、読み取りが行われ装置外へ排出される。
【０００４】
原稿束２を捌き、読み取り部へ分離搬送するフローは以下の通りである。原稿束２は操作者により分離パッド３とフィードローラ１の当接部（ニップ）近傍に先端が来るようにセットされる。
装置が起動すると、フィードローラ１に当接している原稿束２の最下紙が動き出すが、原稿束２はすべての頁が密着接触しているため最下紙とともに動き出そうとする。
しかしながら原稿束２前方には分離パッド３があるため、原稿束２の各頁先端が分離パッド３に引っ掛かる。ここでフィードローラ１、原稿束２、分離パッド３の三者間の摩擦係数を下式、
フィードローラ対の紙の摩擦係数＞分離パッド対の紙の摩擦係数＞紙間の摩擦係数
の条件にしておくことにより、最下紙のみ繰り出される。
このように、原稿束２の先端には分離パッド３の搬送阻止力が掛かることに加え、摩擦分離パッド３を用いた用紙分離搬送装置は、その構造上、摩擦分離パッド３と当接するフィードローラ１が原稿搬送ガイド板６の搬送面よりも搬送経路側に若干量突出する形態となる。
【０００５】
図５はフィードローラを幅方向（軸方向）に切って示す断面図である。図５ではフィードローラ１を幅方向に切って示している。そのため、ガイド板６に沿って置かれる搬送用紙先端部は図５のように、フィードローラ１の幅方向を中心とした凸形状にて分離パッド３に突き当たることになり、そのままでは搬送用紙（原稿２）の凸部頂点が分離パッド３に引っ掛かった状態となり、原稿先端捲れという不具合が発生する。
図６は原稿先端捲れの状態図を示す概略図である。この問題を回避するために従来の摩擦分離パッドを用いた用紙分離搬送装置はこの搬送用紙の凸部頂点が突き当たる分離パッド部に分離パッド幅より小さい幅の摺動シート（図４の１０）を分離パッド３の角度に沿うように用意してある。
図７は下面に摺動シートを取り付けている分離パッドを示す正面図である。図８は図７の分離パッドを示す左側面図である。図９は図７の摺動シートを示す底面図である。
摺動シート１０は分離パッド３の下面にネジ１１によって固定されている。これにより搬送用紙の凸部頂点が摺動シート１０により保護され、分離パッド３に引っ掛かることなくニップ部に搬送できるようにしてある。
しかし、摺動シート等の対策部品を用いることにより、部品点数の増大、構造の複雑化という不具合が生じる。
そこで本発明の目的は、上記の問題点を解決するために、摩擦分離パッドを用いた用紙分離搬送装置において、摺動シート（マイラ）等の対策部品を追加せずに用紙先端の分離部材への引っ掛かりによる捲れの不具合を回避する摩擦分離パッドを備えた用紙分離搬送装置を簡単な構造で提供することにある。
【０００６】
【課題を解決するための手段】
前記の課題を解決するために、請求項１記載の発明では、用紙を１枚ずつ分離搬送する用紙分離搬送装置において、板状摩擦分離部材がその幅方向中心部においてフィードローラから離間し、幅方向両端部において前記フィードローラに当接する用紙分離搬送装置を最も主要な特徴とする。
請求項２記載の発明では、前記離間が、前記板状摩擦分離パッド幅を「Ａ」とし、この摩擦分離パッドを保持する前記保持部材の前記板状摩擦分離パッド幅方向を規制する形状幅を「Ｂ」とした場合に、その幅関係を「Ａ＞Ｂ」として行われる請求項１記載の用紙分離搬送装置を主要な特徴とする。
請求項３記載の発明では、前記保持部材の「凹」部両端に分離に必要な前記板状摩擦分離パッドとフィードローラの当接ニップ部を形成させるために、前記保持部材に前記板状摩擦分離パッド部材をフィードローラに押し付けるパッド押え部を有する請求項１または２のいずれか１項記載の用紙分離搬送装置を主要な特徴とする。
請求項４記載の発明では、前記板状摩擦分離パッド幅方向を規制する前記保持部材の形状部高さを前記板状摩擦分離パッドの厚みより低くしておく請求項１ないし３のいずれか１項記載の用紙分離搬送装置を主要な特徴とする。
請求項５記載の発明では、前記板状摩擦分離パッド幅方向を規制する前記保持部材の形状部から前記板状摩擦分離パッドが外れることを防止するために、前記保持部材と前記板状摩擦分離パッドが当接する箇所に粘着部材を用いた請求項１ないし３のいずれか１項記載の用紙分離搬送装置を主要な特徴とする。
請求項６記載の発明では、請求項１〜５記載の用紙分離搬送装置の機能を使用して記録紙の分離搬送を行う画像形成装置を最も主要な特徴とする。
請求項７記載の発明では、請求項１〜５の用紙分離搬送装置の機能を使用して原稿の分離搬送を行う画像読み取り装置を主要な特徴とする。
【０００７】
【発明の実施の形態】
以下、図面により本発明の実施の形態を詳細に説明する。図１は本発明の用紙分離搬送装置の実施の形態を示す概略正面図である。図２は図１の分離パッドの左側面図である。図３は図１の分離パッドの底面図である。
本発明は、上述した原稿先端捲れという不具合の対応のみのために、付加されている摺動シートを無くしても原稿先端捲れ不具合を回避できる用紙分離搬送装置を提供するものである。
本発明の用紙分離搬送装置は全体の構成としては従来例と変わらないので、図４に示した装置の基本構成を参照しつつ、その詳細な説明は冗長回避のために省略する（図４に示した従来例と本発明の実施形態との相違点は図１乃至図３に示されている）。しかしながら、従来例に関連付けて言えば、基本的な構成は以下のようになっている。
すなわち、用紙分離搬送装置は搬送用紙テーブル上にセットされた用紙束（原稿束）２に当接し、用紙の搬送方向に回転するフィードローラ１と、このフィードローラ１に当接し、搬送方向に対して反対方向に力が作用する板状摩擦分離部材（分離パッド）３とを備えている。
また、用紙分離搬送装置は、板状摩擦分離部材３を保持する保持部材４と、分離搬送用紙の搬送位置を検出する用紙検出センサ９（図４参照）とを備えており、それによってフィードローラ１が給送方向に回転して用紙束２を分離して用紙を１枚ずつ分離搬送する。
【０００８】
以下に本発明の用紙分離搬送装置の構成を図１ないし図３に基づいて説明する。板状摩擦分離パッド３は、従来と同様に、スナップピン１１にてホルダ４に取り付けられている。
ホルダ４のフィードローラ（図４の符号１）とのニップ部近傍には板状摩擦分離パッド３の幅方向を規制できるサイドフェンス１２が設けられている。また、そのサイドフェンス１２の両内側は図のように板状摩擦分離パッド３をフィードローラへ押圧できるようになっている（符号１３部分）が中央部は凹ませて凹部４ａとしておく。
これに加え、板状摩擦分離パッド３の幅Ａとホルダ４のサイドフェンス１２間の内側寸法Ｂとの関係を若干量の差で「Ａ＞Ｂ」としておく。これによって板状摩擦分離パッド３がホルダ４とフィードローラにて挟み込まれたとき（用紙搬送状態時）には図のように撓み３ａが発生する。
この撓み３ａは、前述したホルダ４に中央凹部４ａがあるためその空間に吸収される。
このように、板状摩擦分離パッド３中央部に撓み３ａができることにより、原稿セット時にできる原稿先端の凸部が引っ掛かること無く、分離搬送が行える。
板状摩擦分離パッド３のフィードローラ１幅方向中心部を離間させる手段として、板状摩擦分離パッド３の幅を「Ａ」とし、この摩擦分離パッドを保持する保持部材の板状摩擦分離パッド幅方向を規制する形状幅を「Ｂ」とする。
その幅関係を「Ａ＞Ｂ」とした構成によって、板状摩擦分離パッド３に弛みを設けさせ、その部分がフィードローラ１から離間できるように、分離パッド保持部材４に板状摩擦分離パッド３の撓みが干渉しないように「凹」形状を併せ持つ構成となる。
【０００９】
このとき、サイドフェンス１２が用紙搬送の障害物とならないために、図のように分離パッド３の厚さに対し飛び出さない高さにしておく必要がある。保持部材４の凹部４ａの両端には、分離に必要な板状摩擦分離パッド３とフィードローラ１の当接ニップ部を形成させるために、摩擦分離パッド部材（分離パッド）３をフィードローラ１に押し付けるようにパッド押え部１３を有している。
保持部材４が板状摩擦分離パッド３の幅方向を規制する形状部（サイドフェンス１２）の高さを、分離パッド３の厚みより低くしておく。保持部材４の分離パッド幅方向を規制するサイドフェンス１２から板状摩擦分離パッドが外れることを防止するために、保持部材４と分離パッド３が当接する箇所（符号１３で示す部分等）に粘着部材を用いる。
このように、分離パッド３の厚みに制約が有り、容易にサイドフェンス１２を乗り越えてしまうような場合（分離パッド３に撓みができない）には、ホルダ４の両端部１３に粘着部材（図示せず）を貼り付けることによって、確実な板状摩擦分離パッド３の撓みを形成することができる。
前記実施形態に係る用紙分離搬送装置は、複写機、プリンタ、ファクシミリ装置等の画像形成装置の給紙装置（原稿給紙装置、記録紙給紙装置）に適用して原稿や記録紙の分離搬送を行うことができる。なお、画像形成装置は、記録紙用の給紙部、記録紙に画像形成を行う画像形成部、原稿画像を読取る画像読み取り部、画像形成部に原稿画像等（ホストマシンからの画像データを含む）の画像データを供給する書込み部、原稿を所定位置に給送する原稿給送装置等を有する。
また、本実施形態に係る用紙分離搬送装置は、画像読み取り装置の給紙装置に適用することにより、原稿の分離搬送を行うことができる。
【００１０】
【発明の効果】
以上説明したように、請求項１によれば、摩擦分離パッドを用いた用紙分離搬送装置において、従来技術のように摺動シート（マイラ）等の対策部品を追加せずに用紙先端の板状摩擦分離部材への引っ掛かりによる捲れ不具合を回避できる。
請求項２によれば、摺動シート（マイラ）等の対策部品を追加せずに用紙分離搬送装置を簡単な構造で提供できる。
請求項３によれば、摺動シート（マイラ）等の対策部品を追加せずに用紙分離搬送装置を簡単な構造で提供できる。
請求項４によれば、保持部材の板状摩擦分離パッド幅方向を規制する形状部が搬送用紙に接触し、搬送不具合を引き起こすことを回避できる。
請求項５によれば、保持部材の板状摩擦分離パッド幅方向を規制する形状部から分離パッドが外れることを防止することができる。
請求項６によれば、従来技術のように摺動シート（マイラ）等の対策部品を追加せずに用紙先端の板状摩擦分離部材への引っ掛かりによる捲れ不具合を回避できる。
請求項７によれば、従来技術のように摺動シート（マイラ）等の対策部品を追加せずに用紙先端の板状摩擦分離部材への引っ掛かりによる捲れ不具合を回避できる。
【図面の簡単な説明】
【図１】本発明の用紙分離搬送装置の実施の形態を示す概略正面図。
【図２】図１の分離パッドの左側面図。
【図３】図１の分離パッドの底面図。
【図４】一般的な摩擦分離パッド部材を用いた用紙分離搬送装置を使用する原稿読み取り装置を１例として説明する概略図。
【図５】フィードローラを幅方向に切って示す断面図。
【図６】原稿先端捲れの状態図を示す概略図。
【図７】下面に摺動シートを取り付けている分離パッドを示す正面図。
【図８】図７の分離パッドを示す左側面図。
【図９】図７の摺動シートを示す底面図。
【符号の説明】
１    フィードローラ
２    用紙束
３    板状摩擦分離パッド（分離パッド）
３ａ  幅方向中心部の凹所
４    保持部材
９    用紙位置検出センサ
Ａ    分離パッド幅
Ｂ    保持部材の形状幅
【図１】
2005001840.tif 000003
【図２】
2005001840.tif 000004
【図３】
2005001840.tif 000005
【図４】
2005001840.tif 000006
【図５】
2005001840.tif 000007
【図６】
2005001840.tif 000008
【図７】
2005001840.tif 000009
【図８】
2005001840.tif 000010
【図９】
2005001840.tif 000011